(57)【特許請求の範囲】
【請求項１】
容器前方に塗布先が配置され、又、その塗布先を覆うようにキャップが着脱自在に取り付けられ、更に、そのキャップは容器の後方にも着脱可能な塗布具であって、前記容器の横断面形状を円筒状となし、また、前記キャップに、そのキャップ本体よりも後方に延設形成されたクリップを設けると共に、前記容器の前後に容器本体よりも縮径した凹部を設け、その凹部に前記クリップの後端近傍を位置させ、これによって凹部をクリップの容器本体に対する非干渉部としたことを特徴とする塗布具。
【請求項２】
容器前方に塗布先が配置され、又、その塗布先を覆うようにキャップが着脱自在に取り付けられ、更に、そのキャップは容器の後方にも着脱可能な塗布具であって、前記容器の横断面形状を円筒状となし、また、前記キャップに、そのキャップ本体よりも後方に延設形成されたクリップを設けると共に、前記容器の前後の一方に容器本体よりも縮径した小径筒を設け、他方に凹部を設け、それら小径筒、或いは、凹部に前記クリップの後端近傍を位置させ、これによって小径筒、或いは、凹部をクリップの容器本体に対する非干渉部としたことを特徴とする塗布具。
【発明の詳細な説明】
【０００１】
【発明の属する技術分野】
本発明は、インキ吸蔵体にインキを含浸させて塗布先にインキを供給する中綿式の塗布具や、容器に内蔵したインキを塗布先に供給する直液式の塗布具に関する。
【０００２】
【従来の技術】
従来の塗布具は、塗布液を内蔵した容器本体と、この塗布液を塗布するために容器本体の前方に取り付けた塗布先と、この塗布先の乾燥防止及び保護を目的とする着脱容易なキャップとで構成したものが知られている。そして、キャップは塗布時の散逸を防止するため、容器本体後部にも装着できるようにしている。また、キャップには携帯に便利なように、クリップが設けられており、そのクリップは、容器本体の外径よりも突出し、さらに、意匠等の理由から、キャップの開口端よりクリップ後端が後方に突出するようにした塗布具が知られている。（特許文献１参照）。
【０００３】
【特許文献】
特開２００２−３６７８１号（図１）
【０００４】
【発明が解決しようとする課題】
キャップ部品を共通にして、塗布液容量を多くした、別の種類の容器本体を提供しようとする場合には、キャップよりも外径を大きくした容器本体が採用される。しかし、キャップの開口端よりもクリップの後端が後方に突出したキャップを前記容器本体、即ち、キャップよりも外径を大きくした容器本体に装着しようとすると、キャップのクリップ後端が容器本体に干渉してしまうという問題があった。つまり、キャップを容器に取り付けることができないのである。
そこで、容器本体の大径化に伴い、クリップが干渉しない様なクリップの形状にしても良いが、キャップの共通化が出来なくなってしまう。即ち、容器の種類ごとにキャップも形成・製造しなければならないのである。
そこで、本発明は、キャップの開口端よりもクリップの後端が後方に突出し、又、前記キャップよりも大径の容器本体に、そのキャップを装着してもキャップのクリップ後端が容器本体に干渉しない塗布具を提供することを課題とする。
【０００５】
【課題を解決するための手段】
本発明は、容器前方に塗布先が配置され、又、その塗布先を覆うようにキャップが着脱自在に取り付けられ、更に、そのキャップは容器の後方にも着脱可能な塗布具であって、前記容器の横断面形状を円筒状となし、また、前記キャップに、そのキャップ本体よりも後方に延設形成されたクリップを設けると共に、前記容器の前後に容器本体よりも縮径した凹部を設け、その凹部に前記クリップの後端近傍を位置させ、これによって凹部をクリップの容器本体に対する非干渉部としたことを第１の要旨とし、容器前方に塗布先が配置され、又、その塗布先を覆うようにキャップが着脱自在に取り付けられ、更に、そのキャップは容器の後方にも着脱可能な塗布具であって、前記容器の横断面形状を円筒状となし、また、前記キャップに、そのキャップ本体よりも後方に延設形成されたクリップを設けると共に、前記容器の前後の一方に容器本体よりも縮径した小径筒を設け、他方に凹部を設け、それら小径筒、或いは、凹部に前記クリップの後端近傍を位置させ、これによって小径筒、或いは、凹部をクリップの容器本体に対する非干渉部としたことを第２の要旨とする。
【０００６】
【実施例】
図１に従来の技術を示す参考例を示す。図１は、キャップのみ断面で、キャップ以外は外観の正面図である。また、キャップを容器本体の後部に仮装着した状態をも示す（図中点線）。
参照符号１は、先端が開口した、有底筒状の容器本体である。容器本体１の後方には２段状に縮径した後中筒部１ａと後小筒部１ｂを設けている。
後小筒部１ｂの外径には、４本のリブを設けて後述するキャップ４を嵌められるようにしている。具体的に、容器本体１の外径部径は２０．２０±０．３０ｍｍ、後中筒部１ａの径は１５．４０±０．２０ｍｍ、後中筒部１ａの前後長さは７．００±０．２０ｍｍ、後小筒部１ｂの径は１２．２０±０．２０ｍｍ、４本のリブ外接径は１３．４０±０．１０ｍｍとなっている。
容器本体１の前方には、全体が筒状の前軸２を配置している。この前軸２は、前方から後方に向け、小筒状部２ａ、中筒状部２ｂ、大筒状部２ｃと、外形を後方に段状に膨らむように形成したものである。前軸２の大筒状部２ｃ外面には、軸方向前後に伸びるローレット模様を施し、前方から後方に少し太くなるようなテーパー状にしている。前軸２の大筒状部２ｃ内面と容器本体１前方外面とで、螺合方式で結合させている。具体的には、前軸２の大筒状部２ｃの前端径が１５．２０±０．２０ｍｍ、大筒状部２ｃの後端径が１５．４０±０．２０ｍｍとなっている。
【０００７】
前軸２の小筒状部２ａ前方には、先端内側から一部前方に突出するように、前後方向に多数の樹脂製繊維の各繊維向きを揃え、この多数の繊維同士を熱硬化性樹脂などで部分的に接着して連続気孔を形成した、先端がチズル形の塗布先３を配置している。
塗布先３から、後方の前軸２の中筒状部２ｂ迄を覆うようにして、略有底筒状のキャップ４を配置している。キャップ４外周の略前後中間位置には３本の周状突起部４ａを設けている。さらに、キャップ４と一体にクリップ４ｂを設けている。このクリップ４ｂは、キャップ４の前方外周の１点から外径方向に伸び、その後、軸前後の双方向に略板状に伸びるように設けている。クリップ４ｂの後端は、キャップ４の開口端より後方に突出している。クリップ４ｂの後端には、軸心側に向けて半円状の玉部を設け、この玉部の軸心側端部はキャップ４の開口部外径の延長位置に設けている。
【０００８】
キャップ４は前軸２の中筒状部２ｂとで、着脱容易なように各々凹凸リブが形成されており、乗り越え嵌合させている。前記キャップ４の周状突起部４ａは、キャップ４を外す時の手掛かりとなるように設けているものである。
具体的に、キャップ４の開口部外径は１５．２５±０．２０ｍｍ、開口部内径は１３．１０±０．２０ｍｍ、同内径に設けた凸状の４点のリブ内接径は１２．６６±０．０６ｍｍ、クリップ４ｂの幅は７．００±０．２０ｍｍ、クリップ４ｂのキャップ開口端より後方に突出した長さは６．５０±０．２０ｍｍとなっている。
故に、容器本体１の外径部径は、キャップ４の開口部外径より中心値で４．９５ｍｍ大径なものとなっている。又、容器本体１の後中筒部１ａの外径は、キャップ４のクリップ４ｂ後端の玉部軸心側端部が位置する径と、略同寸に設けている。さらに、また、容器本体１の後中筒部１ａの長さは、キャップ４のクリップ４ｂのキャップ開口端より後方に突出した長さよりも、中心値で０．５０ｍｍ長くしている。
尚、本参考例は、既存の製品の一部部品を変更して、別種の製品を提供しようとするものである。既存の製品との差異事項は、既存の製品より、筆跡が広くなるように塗布先３を太くし、かつ、塗布液内蔵量を増やせるように、容器本体１の外径部径を広げたものであり、キャップ４のクリップ４ｂは既存の製品とは変更のないものである。
【０００９】
【作用】
前記参考例では、キャップ４の開口端よりクリップ４ｂ後端が後方に突出し、かつ、キャップ４よりも大径な容器本体１の後部にキャップ４を装着しても、キャップ４のクリップ４ｂ後端が非干渉形状部１ｃとした後中筒部１ａに位置し、これによって、キャップ４のクリップ４ｂの後端は容器本体に干渉しなくなるのである。
【００１０】
図２、図３に実施例を示す。図２は、キャップを断面で、また、容器の一部を断面にした外観正面図である。また、キャップを容器本体の後部に仮装着した状態も示す（図中点線）。図３は、キャップを容器本体の後部に仮装着した状態の外観側面図である。塗布先３とキャップ４は、参考例と同一である。
容器本体１１には、前記参考例の容器本体１の後中筒部１ａと後小筒部１ｂの外径に設けた４本のリブが形成されていない。さらに、容器本体１１の外周後方には、キャップ４のクリップ４ｂの後端が干渉しないで収められるような凹部１１ａが容器本体の軸線方向に部分的に設けられている。また、容器本体１１の外周前方には、極部的な平坦面１１ｄも円周方向に設けている。以上の構成以外は、参考例の容器本体１と同じである。尚、後小筒部１１ｂ外径は、参考例の後小筒部１ｂの外径に設けた４本のリブの外接径と同寸法で設けている。
容器本体１１の前方には、全体が略筒状の前軸１２を配置している。この前軸１２は、参考例の前軸２の大筒状部２ｃを除いたものであり、キャップ４の開口端後方に連続して、そのキャップ４よりも大径な容器本体１１を配置している。そして、前軸１２の中筒状部１２ｂの内面と容器本体１の前方外面とで、凹凸嵌合方式で結合させている。
【００１１】
この実施例における、キャップのクリップ後端が容器本体に干渉しない効果は、前記第一実施例と同様である。しかし、本実施例では、キャップ４の開口端後方に連続して、キャップ４よりも大径な容器本体を配置しても、キャップ４のクリップ４ｂ後端を非干渉形状部１１ｃとした極部的な平坦面１１ｄに位置させることができ、これによって、キャップ４のクリップ４ｂ後端は、容器本体の前後方ともに干渉しないのである。
【００１２】
【発明の効果】
本発明の塗布具は、容器前方に塗布先が配置され、又、その塗布先を覆うようにキャップが着脱自在に取り付けられ、更に、そのキャップは容器の後方にも着脱可能な塗布具であって、前記容器の横断面形状を円筒状となし、また、前記キャップに、そのキャップ本体よりも後方に延設形成されたクリップを設けると共に、前記容器の前後に容器本体よりも縮径した凹部を設け、その凹部に前記クリップの後端近傍を位置させ、これによって凹部をクリップの容器本体に対する非干渉部としたことを第１の要旨とし、容器前方に塗布先が配置され、又、その塗布先を覆うようにキャップが着脱自在に取り付けられ、更に、そのキャップは容器の後方にも着脱可能な塗布具であって、前記容器の横断面形状を円筒状となし、また、前記キャップに、そのキャップ本体よりも後方に延設形成されたクリップを設けると共に、前記容器の前後の一方に容器本体よりも縮径した小径筒を設け、他方に凹部を設け、それら小径筒、或いは、凹部に前記クリップの後端近傍を位置させ、これによって小径筒、或いは、凹部をクリップの容器本体に対する非干渉部としたことを第２の要旨としたので、種々の外径に対応した共通のクリップ付きキャップを提供することができる。
【図面の簡単な説明】
【図１】    参考例正面図である。
【図２】    実施例正面図である。
【図３】    図２の側面図である。
【符号の説明】
１        容器本体
１ａ      後中筒部
１ｂ      後小筒部
１ｃ      非干渉形状部
１１      容器本体
１１ａ    凹部
１１ｂ    後小筒部
１１ｃ    非干渉形状部
１１ｄ    平坦面
１１ｅ    非干渉形状部
１２      前軸
２        前軸
２ａ      小筒状部
２ｂ      中筒状部
２ｃ      大筒状部
【図１】
0004161129.tif 000002
【図２】
0004161129.tif 000003
【図３】
0004161129.tif 000004